(57)【要約】【課題】求められる強度を保ちつつ、各部が加工原木からなる従来家具と比べると軽量化が可能であり、材料費を低く抑えることができる脚付き木製家具を提供する。【解決手段】例えば、左右一対の部材１と、部材１に渡し設けられた平板部材２及び背もたれ部材３とを含み、部材１は芯材ａ１〜ａ９の左右側面に外板１１を貼着して形成され、平板部材２は芯材ｂ１〜ｂ６の上下面に外板２１を貼着して形成され、背もたれ部材３は芯材ｃ１〜ｃ５の正背面に外板３１を貼着して形成されており、部材２、３は左右一対の部材１に少なくとも接着接続されている椅子Ａ。【選択図】図１
2008061727.tif 000002
【特許請求の範囲】
【請求項１】
左右一対の木製の部材と、該左右一対の部材に渡し設けられた木製の平板部材とを含み、前記左右一対の部材のそれぞれは木製の芯材の右側面及び左側面のそれぞれに木製の外板を貼着して形成されているとともに前後の脚部及び該前後脚部間に渡る前後渡し部を含んでおり、前記平板部材は木製の芯材の上面及び下面のそれぞれに木製の外板を貼着して形成されており、該平板部材の芯材は該上下外板間に空間部を与えるように該上下外板間に配列されており、
該平板部材における左端部に配置された芯材の左端面が前記左右一対の部材のうち左側部材における
ａ）前後脚部の上端部の内側面、
ｂ）前後渡し部の内側面、
ｃ）該前後脚部上端部のうち少なくとも一方及び該前後渡し部のそれぞれの内側面
のうちいずれかに突き合わせ接着接続されているとともに、
該平板部材における右端部に配置された芯材の右端面が前記左右一対の部材のうち右側部材における
ａ）前後脚部の上端部の内側面、
ｂ）前後渡し部の内側面、
ｃ）該前後脚部上端部のうち少なくとも一方及び該前後渡し部のそれぞれの内側面
のうちいずれかに突き合わせ接着接続されていることを特徴とする脚付き木製家具。
【請求項２】
前記平板部材を形成している上側及び下側の外板のうち少なくとも一方は前記左右一対の部材のそれぞれの前後渡し部に重なるように芯材から突出しているとともに該前後渡し部に重ね接続されている請求項１記載の脚付き木製家具。
【請求項３】
前記左右一対の部材のそれぞれが前記後脚部の上端部から一体的に立ち上がる立ち上がり部を含んでおり、該左右の立ち上がり部間に背もたれ部材が渡し設けられており、該背もたれ部材は木製芯材と、該芯材の正面側及び背面側のそれぞれに貼着された木製の外板とから形成されており、該背もたれ部材における左端部に配置された芯材の左端面が前記左側の立ち上がり部の内側面に接続されているとともに右端部に配置された芯材の右端面が前記右側の立ち上がり部の内側面に接続されており、椅子である請求項１又は２記載の脚付き木製家具。
【請求項４】
前記背もたれ部材の芯材は前記正面側及び背面側の外板間に空間部を与えるように該両外板間に配列されている請求項３記載の脚付き木製家具。
【請求項５】
前記背もたれ部材の正面側及び背面側の外板のうち少なくとも一方は前記左右の立ち上がり部に重なるように芯材から突出しているとともに該立ち上がり部に重ね接続されている請求項３又は４記載の脚付き木製家具。
【請求項６】
前記平板部材をテーブル天板とし、前記左右一対の部材のそれぞれにおける前後脚部をテーブル脚とするテーブルである請求項１又は２記載の脚付き木製家具。
【発明の詳細な説明】
【技術分野】
【０００１】
本発明は椅子、テーブル等の木製の脚付き家具に関する。
【背景技術】
【０００２】
椅子、テーブル等の木製の脚付き家具のうち木製椅子を例にとると、種々のタイプのものが知られているが、例えば図１２に示す構造のものを挙げることができる。すなわち、  左右の前脚９１１と、
左右の後脚９１２と、
各後ろ脚９１２から立ち上がる立ち上がり部９１３と、
左側及び右側のそれぞれにおいて前脚９１１と後脚９１２間に渡し設けられた前後渡し部材９１４と、
座部９１５と、
左右の立ち上がり部９１３間に渡し設けられた背もたれ部９１６と
を含む構造のものである。
【０００３】
前側の左右の前脚９１１間及び（又は）後ろ側の左右の後脚９１２間に左右渡し部材９１７が設けられることもある。
【０００４】
各前脚９１１、各後脚９１２、該後脚から一体的に立ち上がる立ち上がり部９１３、各渡し部材９１４〔又は（及び）９１７〕、座部９１５及び背もたれ部９１６はそれぞれ加工原木から形成されている。
ここで「加工原木」とは機械加工され、或いはさらに含水率調整等の処理が施された原木である（「加工原木」については以下同じ）。
【０００５】
また、木製テーブルを例にとると、それも種々のタイプのものが知られているが、例えば図１３に示す構造のものがある。すなわち、
左右の前脚９２１と、
左右の後脚９２２と、
左側及び右側のそれぞれにおいて前脚９２１と後脚９２２間に渡し設けられた前後渡し部材９２３又は（及び）前側脚９２１間及び後脚９２２間に渡し設けられた左右渡し部材９２４と、
前後脚９２１、９２２及び前後渡し部材９２３〔又は（及び）左右渡し部材９２４〕の上側に設けられたテーブル天板９２５と
を含む構造のものである。
【０００６】
各前脚９２１、各後脚９２２、各渡し部材９２３〔又は（及び９２４）〕及び天板９２５はそれぞれ加工原木から形成されている。
【０００７】
この種の木製椅子やテーブルは例えば平成１７年８月５日株式会社ディノス発行カタログ「ハウススタイリング」（５３頁）に記載されている。
【０００８】
【非特許文献１】平成１７年８月５日株式会社ディノス発行カタログ「ハウススタイリング」（５３頁）
【発明の開示】
【発明が解決しようとする課題】
【０００９】
しかしながら、いずれにしても、このような脚付きの椅子、テーブル等の木製家具は、各部が加工原木を用いて形成されているので比較的頑丈であるが、重量があり、移動が困難なものが多い。このような木製家具を例えば一般家庭で使用すると、フロアーの掃除等において移動させるのに大きい労力を要し、掃除を行う主婦等にとっては負担である。
【００１０】
また、中実の加工原木を用いて作製しているため材料費が嵩むことが多い。
【００１１】
そこで本発明は、木製の脚付き家具であって、求められる強度を保ちつつ、各部が加工原木からなる従来家具と比べると軽量化が可能であり、材料費を低く抑えることができる脚付き木製家具を提供することを課題とする。
【課題を解決するための手段】
【００１２】
本発明は前記課題を解決するため、
左右一対の木製の部材と、該左右一対の部材に渡し設けられた木製の平板部材とを含み、前記左右一対の部材のそれぞれは木製の芯材の右側面及び左側面のそれぞれに木製の外板を貼着して形成されているとともに前後の脚部及び該前後脚部間に渡る前後渡し部を含んでおり、前記平板部材は木製の芯材の上面及び下面のそれぞれに木製の外板を貼着して形成されており、該平板部材の芯材は該上下外板間に空間部を与えるように該上下外板間に配列されており、
該平板部材における左端部に配置された芯材の左端面が前記左右一対の部材のうち左側部材における
ａ）前後脚部の上端部の内側面、
ｂ）前後渡し部の内側面、
ｃ）該前後脚部上端部のうち少なくとも一方及び該前後渡し部のそれぞれの内側面
のうちいずれかに突き合わせ接着接続されているとともに、
該平板部材における右端部に配置された芯材の右端面が前記左右一対の部材のうち右側部材における
ａ）前後脚部の上端部の内側面、
ｂ）前後渡し部の内側面、
ｃ）該前後脚部上端部のうち少なくとも一方及び該前後渡し部のそれぞれの内側面
のうちいずれかに突き合わせ接着接続されている脚付き木製家具を提供する。
【００１３】
ここで「木製家具」とは、主たる材料が木である家具であり、各部の接続等のために接着剤が用いられていたり、ボルトやネジ等の金具が用いられていても、主たる材料が木である家具はここで言う木製家具である。
【００１４】
本発明に係る家具は、前記左右一対の部材のそれぞれが木製の芯材の右側面及び左側面のそれぞれに木製の外板を貼着して形成されているとともに前記平板部材が木製の芯材の上面及び下面のそれぞれに木製の外板を貼着して形成されており、これら左右一対の部材及び平板部材のうち少なくとも平板部材においては、それを構成している芯材が上下外板間に空間部を与えるように該上下外板間に配列されている。
【００１５】
このように少なくとも平板部材は内部に空間部を有しているので、該平板部材を中実の加工原木で形成する場合と比べると該平板部材の軽量化が可能でああるとともに材料費を低く抑えることができ、ひいてはそれだけ家具全体の軽量化、材料費の節約が可能である。
【００１６】
前記左右一対の部材のそれぞれ又は双方においても、それを構成している芯材を左右外板間に空間部を与えるように該左右外板間に配列してもよく、そうすれば、一層家具を軽量化し、材料費を低く抑えることができる。
【００１７】
また、本発明に係る家具は、平板部材における左端部に配置された芯材の左端面及び右端部に配置された芯材の右端面が前記左右一対の部材の所定部分の内側面に突き合わせ接着接続（接着剤による接続）されているので、従来の木製家具等にみられる所謂ダボや柄を用いた組み付けによる隣り合う部材間の突き合わせ接続等と比べると平板部材と左右一対の部材との接続強度が大きく、それにより家具全体の強度を向上させることができる。      
【００１８】
また、本発明に係る家具は、左右一対の部材、平板部材のいずれもが芯材の両側に外板を貼着して形成されており、該芯材や外板の材質（木の種類）、厚み、それらの組み合わせ等の選択範囲が広く、それだけデザインの幅も広くなる利点がある。
【００１９】
前記左右一対の部材のそれぞれを構成する前記木製の芯材は加工原木であってもよく、合板等であってもよい。
該芯材の右側面及び左側面のそれぞれに貼着される木製の外板についても、加工原木であってもよく、合板等であってもよい。                                              前記平板部材を構成している木製の芯材についても加工原木であってもよく、合板等であってもよい。また該芯材の上面及び下面のそれぞれに貼着される木製の外板についても、加工原木であってもよく、合板等であってもよい。
【００２０】
本発明に係る家具において、前記平板部材を形成している上側及び下側の外板のうち少なくとも一方は前記左右一対の部材のそれぞれの前後渡し部に重なるように芯材から突出しているとともに該前後渡し部に重ね接続されていてもよい。このようにすることで、平板部材と左右一対の部材との間の接続強度がより大きくなる。
【００２１】
前記平板部材を形成している上側及び下側の外板のうちいずれか一方のみを左右一対の部材のそれぞれの前後渡し部に重なるように芯材から突出させるとともに該前後渡し部に重ね接続する場合には、上方から荷重のかかることが多い上側の外板についてそのようにすることが接続強度を得るうえで好ましい。
【００２２】
上記いずれの場合であれ、本発明に係る家具の具体例として、前記平板部材をテーブル天板とし、前記左右一対の部材のそれぞれにおける前後脚部をテーブル脚とするテーブルである脚付き木製家具を挙げることができる。
【００２３】
また、本発明に係る脚付き木製家具の他の具体例として、
前記左右一対の部材のそれぞれが前記後脚部の上端部から一体的に立ち上がる立ち上がり部を含んでおり、該左右の立ち上がり部間に背もたれ部材が渡し設けられており、該背もたれ部材は木製芯材と、該芯材の正面側及び背面面のそれぞれに貼着された木製の外板とから形成されており、該背もたれ部材における左端部に配置された芯材の左端面が前記左側の立ち上がり部の内側面に接続されているとともに右端部に配置された芯材の右端面が前記右側の立ち上がり部の内側面に接続されており、椅子である脚付き木製家具を挙げることができる。
この椅子によると、前記平板部材を座部として利用できる。
【００２４】
前記背もたれ部材は、該背もたれ部材と左右一対の立ち上がり部との接続強度を向上させるうえで、背もたれ部材の左端部に配置された芯材の左端面及び右端部に配置された芯材の右端面が前記左右の立ち上がり部の内側面に接着接続（接着剤による接続）されていることが好ましい。それにより前記平板部材と左右一対の部材との接続強度と相まって椅子全体の強度を一層向上させることができる。
【００２５】
また、この椅子においても、上下外板間に空間部を有する前記平板部材の採用によりそれだけ椅子の軽量化、材料節約が可能である。一層の軽量化、材料節約のために、前記背もたれ部材の芯材は前記正面側及び背面側の外板間に空間部を与えるように該両外板間に配列されていてもよい。
【００２６】
背もたれ部材についても、それを構成している木製の芯材は加工原木であってもよく、合板等であってもよい。また該芯材に貼着される木製外板についても、加工原木であってもよく、合板等であってもよい。
【００２７】
前記背もたれ部材を形成している正面側及び背面側の外板のうち少なくとも一方は前記左右の立ち上がり部に重なるように芯材から突出しているとともに該立ち上がり部に重ね接続されていてもよい。そのようにすることで、背もたれ部材と左右一対の立ち上がり部との間の接続強度がより大きくなる。
【００２８】
前記背もたれ部材を形成している正面側及び背面側の外板のうちいずれか一方のみを左右一対の部材の立ち上がり部に重なるように芯材から突出させるとともに該立ち上がり部に重ね接続する場合には、人体荷重の一部がかかってくる正面側の外板についてそのようにすることが接続強度を得るうえで好ましい。
【発明の効果】
【００２９】
以上説明したように本発明によると、木製の脚付き家具であって、求められる強度を保ちつつ、各部が加工原木からなる従来家具と比べると軽量化が可能であり、材料費を低く抑えることができる脚付き木製家具を提供することができる。
【発明を実施するための最良の形態】
【００３０】
以下図面を参照して本発明の実施形態について説明する。
＜第１実施形態（椅子）＞
図１から図４は本発明に係る脚付き木製家具の１例である椅子Ａを示している。図１は椅子Ａの斜視図、図２は椅子Ａの右側面図、図３は椅子Ａの正面図、図４は椅子Ａの平面図である。椅子Ａの左側面図は右側面図と対称にあらわれる。
【００３１】
椅子Ａは、左右一対の部材１、１と、該左右一対の部材に渡し設けられた平板部材２及び背もたれ部材３とを含んでいる。
左右一対の部材１、１のそれぞれは、前脚部Ｌ１、後脚部Ｌ２、左右の各側において前後脚部Ｌ１、Ｌ２間に渡る前後渡し部Ｌ３を含んでいる。さらに後脚部Ｌ２から立ち上がる立ち上がり部Ｌ４も含んでいる。
【００３２】
左右の各部材１は、全体として、図５にも示すように木製の芯材ａ１〜ａ９の右側面及び左側面のそれぞれに木製の外板１１を貼着して形成されている。このように形成された部材１に前記の脚部Ｌ１、Ｌ２、前後渡し部Ｌ３及び立ち上がり部Ｌ４が含まれている。      
【００３３】
芯材ａ１〜ａ９のそれぞれはここでは加工原木で形成されている。芯材は全体が一体的に連続したものでもよいが、本例では、小さい芯材ａ１〜ａ９を寄せ集め、それらをステープルａｓで連結し、全体的に所定形状に整えたものである。小芯材ａ１〜ａ９のそれぞれは断面四角形状のもので、両外板１２間方向の厚みはいずれも同じである。
【００３４】
各外板１１は本例では木製合板からなっている。外板１１はここでは、全体が一体的に連続している。
芯材ａ１〜ａ９の左右両側面への外板１１の貼着は接着剤を用いて加圧下に行われる。必要に応じさらに加熱下に行われる。
【００３５】
平板部材２は図４に示すように木製の芯材ｂ１〜ｂ６の上面及び下面のそれぞれに木製の外板２１を貼着して形成されている。
芯材ｂ１〜ｂ６はいずれも加工原木からなる細長い棒状芯材であり、いずれも上下方向の寸法（厚み）は同じである。芯材ｂ２、ｂ３、ｂ５及びｂ６は断面四角形状を呈し、芯材ｂ１及びｂ４は断面台形状を呈している。棒状芯材ｂ１〜ｂ４はいずれも同じ長さであり、左右方向に平行に所定間隔をおいて配列されている。棒状芯材ｂ５、ｂ６は同じ長さであり、棒状芯材ｂ１〜ｂ４を挟むようにしてそれらの両側に配列されており、前後方向に延びている。
【００３６】
棒状芯材ｂ１〜ｂ４のそれぞれの左右端面は棒状芯材ｂ５、ｂ６に接着剤にて突き合わせ接続されている。左右方向の各棒状芯材の端部とそれが突き合わされた前後方向の各棒状芯材とで形成される各コーナには補強用の隅部材ｂ’が当てがわれ、接着剤でそこに固定されている。これら棒状芯材ｂ１〜ｂ６は全体として内側に空間部ｓ１〜ｓ３を有する枠形芯材を形成している。
【００３７】
各外板２１は本例では一体的に連続する木製合板からなっている。
芯材ｂ１〜ｂ６の上下面への外板２１の貼着は接着剤を用いて加圧下に行われる。必要に応じさらに加熱下に行われる。
上側の外板２１の左右端部２１１は芯材ｂ５、ｂ６より外側まで突出している。
【００３８】
背もたれ部材３は図３に示すように木製の芯材ｃ１〜ｃ５の正面及び背面のそれぞれに木製の外板３１を貼着して形成されている。
芯材ｃ１〜ｃ５はいずれも加工原木からなる棒状芯材であり、いずれも断面四角形状を呈し、前後方向の寸法（厚み）は同じである。棒状芯材ｃ１〜ｃ３はいずれも同じ長さであり、左右方向に平行に所定間隔をおいて配列されている。棒状芯材ｃ４、ｃ５は同じ長さであり、棒状芯材ｃ１〜ｃ３を挟むようにしてそれらの両側に配列されており、上下方向に延びている。
【００３９】
棒状芯材ｃ１〜ｃ３のそれぞれの左右端面は棒状芯材ｃ４、ｃ５に接着剤にて突き合わせ接続されている。左右方向の各棒状芯材の端部とそれが突き合わされた上下方向の棒状芯材とで形成される各コーナには補強用の隅部材ｃ’が当てがわれ、接着剤でそこに固定されている。これら棒状芯材ｃ１〜ｃ５は全体として内側に空間部ｓ４、ｓ５を有する枠形芯材を形成している。
【００４０】
各外板３１は本例では一体的に連続する木製合板からなっている。
芯材ｃ１〜ｃ５の正面及び背面への外板３１の貼着は接着剤を用いて加圧下に行われる。必要に応じさらに加熱下に行われる。
【００４１】
なお、背もたれ部材３は、図６に例示するように、後述すにように座部として用いることができる平板部材２に座る人が背もたれし易いように、外板を湾曲させるなどしてもよい。
【００４２】
平板部材２や背もたれ部材３は次のように左右一対の部材１に接続固定されている。
すなわち、平板部材２における左端部の前後方向芯材ｂ５の左端面（左側の木端面）及び下側の外板２１の左端面が前記左右一対の部材１のうち左側部材１の前後脚Ｌ１、Ｌ２の上端部の内側面及び前後渡し部Ｌ３の内側面にそれぞれ突き合わされ接着剤で接続固定されている。平板部材２の上側の外板２１の芯材ｂ５から左方へ突出した端部２１１は左部材１の前脚部Ｌ１及び前後渡し部Ｌ３のそれぞれの上面に重ねられ、そこに接着剤で接続固定されている。
【００４３】
さらに、前後脚Ｌ１、Ｌ２の上端部及び前後渡し部Ｌ３から芯材ｂ５に向け複数本のネジ４がねじ込まれ、これによっても、左側部材１と平板部材２の左側端部がさらに強固に突き合わせ接続されている。
【００４４】
平板部材２における右端部についても、右端部の前後方向芯材ｂ６の右端面（右側の木端面）及び下側の外板２１の右端面が右側部材１の前後脚Ｌ１、Ｌ２の上端部の内側面及び前後渡し部Ｌ３の内側面にそれぞれ突き合わされ接着剤で接続固定されている。また、平板部材２の上側の外板２１の芯材ｂ６から右方へ突出した端部２１１は右部材１の前脚部Ｌ１及び前後渡し部Ｌ３のそれぞれの上面に重ねられ、そこに接着剤で接続固定されている。
【００４５】
さらに、右側の前後脚Ｌ１、Ｌ２の上端部及び前後渡し部Ｌ３から芯材ｂ６に向け複数本のネジ４がねじ込まれ、これによっても、右側部材１と平板部材２の右側端部がさらに強固に突き合わせ接続されている。
【００４６】
各ネジ４は部材１に形成した凹所１２の底部から芯材ｂ５、ｂ６の方へねじ込まれ、ネジ頭は該凹所内にある。該凹所１２にはネジ止め後に埋め木部材４１が嵌着され、ネジ頭が外部から見えないようにしてある。
【００４７】
なお、左右部材１と平板部材２との接続については、強度上支障がなければ、ネジは用いず接着剤だけで接続してもよい。接着剤とネジを併用する場合、接続強度上支障がなければ、ネジは例えば前後脚部Ｌ１、Ｌ２と平板部材２との接続補強のため用いるだけであったり、前後渡し部Ｌ３と平板部材２との接続補強のために用いるだけであってもよい。      
【００４８】
背もたれ部材３における左端部の上下方向の芯材ｃ４は左端面（左側の木端面）が前記左右一対の部材１のうち左側部材１の立ち上がり部Ｌ４の上部の内側面に突き合わされ接着剤で接続固定されている。さらに、立ち上がり部Ｌ４から芯材ｃ４に向け複数本のネジ５がねじ込まれ、これによっても、左側の立ち上がり部Ｌ４と背もたれ部材Ｌ４の左側端部がさらに強固に突き合わせ接続されている。
【００４９】
背もたれ部材３における右端部の上下方向の芯材ｃ５についても右端面（右側の木端面）が左右一対の部材１のうち右側部材１の立ち上がり部Ｌ４の上部の内側面に突き合わされ接着剤で接続固定されている。さらに、該立ち上がり部Ｌ４から芯材ｃ５に向け複数本のネジ５がねじ込まれ、これによっても、右側の立ち上がり部Ｌ４と背もたれ部材３の右側端部がさらに強固に突き合わせ接続されている。
【００５０】
各ネジ５は立ち上がり部Ｌ４に形成した凹所１３の底部から芯材ｃ４、ｃ５の方へねじ込まれ、ネジ頭は該凹所内にある。該凹所１３にはネジ止め後に埋め木部材５１が嵌着され、ネジ頭が外部から見えないようにしてある。
【００５１】
なお、左右部材１と背もたれ部材３との接続については、強度上支障がなければ、接着剤を用いずネジだけで接続してもよく、或いは、ネジは用いず接着剤だけで接続してもよい。接着剤とネジを併用する場合、接続強度上支障のない範囲でネジ本数は適宜調整すればよい。
【００５２】
以上説明した椅子Ａは平板部材２を座部として用いることができる。
椅子Ａでは平板部材２を構成している芯材ｂ１〜ｂ６が上下外板１１間に空間部ｓ１〜ｓ３を与えるように該上下外板間に配列されている。
また、背もたれ部材３を構成している芯材ｃ１〜ｃ５も正面側及び背面側の外板３１間に空間部ｓ４、ｓ５を与えるように該両外板間に配列されている。
【００５３】
このように平板部材２及び背もたれ部材３は内部に空間部を有しているので、平板部材や背もたれ部材を中実の加工原木で形成する場合と比べると平板部材２及び背もたれ部材３の軽量化が可能でああるとともに、該部材２、３での材料費を低く抑えることができ、ひいてはそれだけ椅子全体の軽量化、材料費の節約を行える。
【００５４】
なお、左右一対の部材１の少なくとも一方についても、例えば図７に示すように、内部に空間が得られるように芯材を枠状に配列してもよく、そうすれば、一層軽量化、材料の節約を図ることができる。
【００５５】
また、椅子Ａでは、平板部材２における左右端部に配置された芯材ｂ５、ｂ６の木端面が部材１の前後脚部Ｌ１、Ｌ２の上端部内側面及び前後渡し部Ｌ３の内側面にそれぞれ接着剤により突き合わせ接続されており、背もたれ部材３についても、左右端部に配置された芯材ｃ４、ｃ５の木端面が部材１の立ち上がり部Ｌ４の内側面にそれぞれ接着剤により突き合わせ接続されているので、従来の木製家具等にみられる所謂ダボや柄を用いた組み付けによる隣り合う部材間の突き合わせ接続や、木口を用いた隣り合う部材間の突き合わせ接続等と比べると平板部材２と左右一対の部材２との接続強度及び背もたれ部材３と左右の立ち上がり部Ｌ４との接続強度が大きく、それにより椅子Ａ全体の強度が与えられている。
【００５６】
また、平板部材２と左右一対の部材１とはネジ４によっても接続されており、背もたれ部材３と左右の立ち上がり部Ｌ４とはネジ５によっても接続されているので、これにより一層椅子強度が向上せしめられている。
【００５７】
さらに、平板部材２については上側の外板２１の左右端部２１１が左右部材１の前脚部Ｌ１及び前後渡し部Ｌ３のそれぞれの上面に重なるように突出して該上面に貼着されているので、この点でも一層強度が向上せしめられている。
【００５８】
また、椅子Ａは、左右一対の部材１、平板部材２及び背もたれ部材３のいずれもが芯材の両側に外板を貼着して形成されており、該芯材や外板の材質（木の種類）、厚み、それらの組み合わせ等の選択範囲が広く、それだけ椅子デザインの幅が広くなる利点がある。      
【００５９】
なお、背もたれ部材３についても、それを形成している正面側及び背面側の外板３１のうち少なくとも一方、例えば正面側の外板３が左右の立ち上がり部Ｌ４に重なるように芯材ｃ４、ｃ５から突出させ、該立ち上がり部Ｌ４に重ね接続されていてもよい。そのようにすることで、背もたれ部材３と左右一対の立ち上がり部Ｌ４との間の接続強度がより大きくなり、ひいては椅子Ａ全体の強度も向上する。
【００６０】
＜第２実施形態（テーブル）＞
図８から図１０は本発明に係る脚付き木製家具の他の例であるテーブルＢを示している。図８はテーブルＢの正面図、図９はテーブルＢの右側面図、図１０はテーブルＢの平面図である。テーブルＢの左側面図は右側面図と対称にあらわれる。
【００６１】
テーブルＢは、左右一対の部材６、６と、該左右一対の部材に渡し設けられた平板部材７とを含んでいる。
左右一対の部材６、６のそれぞれは、前脚部Ｌ５、後脚部Ｌ６及び左右の各側において前後脚部Ｌ５、Ｌ６間に渡る前後渡し部Ｌ７を含んでいる。
【００６２】
左右の各部材６は、全体として、図１１にも示すように一体的に連続する木製合板製の芯材６１の片側面に外板６２を、反対側面に外板６３をそれぞれ貼着して形成されている。  このように形成された部材６に前記の脚部Ｌ５、Ｌ６及び前後渡し部Ｌ７が含まれている。
【００６３】
外板６２は加工原木からなる小外板６２１、６２２及び６２３を合板芯材６１に沿って配列したものであり、外板６３は加工原木からなる小外板６３１、６３２及び６３３を合板芯材６１に沿って配列したものである。部材６の強度を前後左右方向においてつり合わせるように外板６２と６３とではそれを構成している小外板の配列を異ならせてある（図１１参照）。
【００６４】
芯材６１の両側面への外板６２、６３の貼着は接着剤を用いて加圧下に行われる。必要に応じさらに加熱下に行われる。
【００６５】
平板部材７は木製の芯材ｄ１〜ｄ１１の上面及び下面のそれぞれに木製の外板７１を貼着して形成されている。
芯材ｄ１〜ｄ１１はいずれも加工原木からなる細長い棒状芯材であり、いずれも上下方向の寸法（厚み）は同じである。芯材ｄ２〜ｄ６、ｄ８及びｄ９は断面四角形状を呈し、芯材ｄ１及びｄ７は断面台形状を呈している。棒状芯材ｄ１〜ｄ７はいずれも同じ長さであり、左右方向に平行に所定間隔をおいて配列されている。棒状芯材ｄ８、ｄ９は同じ長さであり、左右方向の棒状芯材ｄ１〜ｄ７を挟むようにしてそれらの両側に配列されており、前後方向に延びている。
【００６６】
短い棒状芯材ｄ１０は、左右方向芯材ｄ２とｄ３の間、ｄ３とｄ４の間、ｄ４とｄ５の間及びｄ５とｄ６の間のそれぞれに前後方向に配列されており、短い棒状芯材ｄ１１は、左右方向芯材ｄ１とｄ２の間及びｄ６とｄ７の間のそれぞれに前後方向に配列されている。
【００６７】
棒状芯材ｄ１〜ｄ７のそれぞれの左右端面は棒状芯材ｄ８、ｄ９に接着剤にて突き合わせ接続されている。短い棒状芯材ｄ１０、ｄ１１のそれぞれは対応する左右方向芯材に接着剤にて突き合わせ接続されている。これら芯材ｄ１〜ｄ１１は全体として枠形芯材を形成しており、内側に複数の空間部ｓ６を含んでいる。
【００６８】
各外板７１は本例では一体的に連続する木製合板からなっている。
芯材ｄ１〜ｄ１１の上下面への外板７１の貼着は接着剤を用いて加圧下に行われる。必要に応じさらに加熱下に行われる。
上側の外板７１の左右端部７１１は芯材ｄ８、ｄ９より外側まで突出している。
【００６９】
平板部材７は次のように左右一対の部材６に接続固定されている。
すなわち、平板部材７における左端部の前後方向芯材ｄ８の左端面（左側の木端面）及び下側の外板７１の左端面が前記左右一対の部材６のうち左側部材６の前後脚Ｌ５、Ｌ６の上端部の内側面及び前後渡し部Ｌ７の内側面にそれぞれ突き合わされ接着剤で接続固定されている。平板部材７の上側の外板７１の芯材ｄ８から左方へ突出した端部７１１は左部材６の前後脚部Ｌ５、Ｌ６及び前後渡し部Ｌ７のそれぞれの上面に重ねられ、そこに接着剤で接続固定されている。
【００７０】
さらに、前後脚Ｌ５、Ｌ６の上端部及び前後渡し部Ｌ７から芯材ｄ８に向け複数本のネジ８がねじ込まれ、これによっても、左側部材６と平板部材７の左側端部がさらに強固に突き合わせ接続されている。
【００７１】
平板部材６における右端部についても、右端部の前後方向芯材ｄ９の右端面（右側の木端面）及び下側の外板７１の右端面が右側部材６の前後脚Ｌ５、Ｌ６の上端部の内側面及び前後渡し部Ｌ７の内側面にそれぞれ突き合わされ接着剤で接続固定されている。また、平板部材７の上側の外板７１の芯材ｄ９から右方へ突出した端部７１１は右部材６の前脚部Ｌ５、Ｌ６及び前後渡し部Ｌ７のそれぞれの上面に重ねられ、そこに接着剤で接続固定されている。
【００７２】
さらに、右側の前後脚Ｌ５、Ｌ６の上端部及び前後渡し部Ｌ７から芯材ｄ９に向け複数本のネジ８がねじ込まれ、これによっても、右側部材６と平板部材７の右側端部がさらに強固に突き合わせ接続されている。
【００７３】
各ネジ８は部材６に形成した凹所６０の底部から芯材ｄ８、ｄ９の方へねじ込まれ、ネジ頭は該凹所内にある。該凹所６０にはネジ止め後に埋め木部材８１が嵌着され、ネジ頭が外部から見えないようにしてある。
【００７４】
なお、左右部材６と平板部材７との接続については、強度上支障がなければ、ネジは用いず接着剤だけで接続してもよい。接着剤とネジを併用する場合、接続強度上支障がなければ、ネジは例えば前後脚部Ｌ５、Ｌ６と平板部材７との接続補強のため用いるだけであったり、前後渡し部Ｌ７と平板部材７との接続補強のために用いるだけであってもよい。      
【００７５】
以上説明したテーブルＢは平板部材７をテーブル天板として用いることができる。
テーブルＢでは、平板部材７を構成している芯材ｄ１〜ｄ１１が上下外板７１間に空間部ｓ６を与えるように該上下外板間に配列されている。
【００７６】
このように平板部材６は内部に空間部を有しているので、平板部材を中実の加工原木で形成する場合と比べると大きい面積を占める平板部材７の軽量化が可能でああるとともに、該部材７での材料費を低く抑えることができ、ひいてはそれだけテーブル全体の軽量化、材料費の節約を行える。
【００７７】
また、テーブルＢでは、平板部材７における左右端部に配置された芯材ｄ８、ｄ９の木端面が部材７の前後脚部Ｌ５、Ｌ６の上端部内側面及び前後渡し部Ｌ７の内側面にそれぞれ接着剤により突き合わせ接続されているので、従来の木製家具等にみられる所謂ダボや柄を用いた組み付けによる隣り合う部材間の突き合わせ接続や、木口を用いた隣り合う部材間の突き合わせ接続等と比べると平板部材７と左右一対の部材６との接続強度が大きく、それによりテーブルＢ全体の強度が与えられている。
【００７８】
また、平板部材７と左右一対の部材６とはネジ８によっても接続されているので、それにより一層テーブル強度が向上せしめられている。
【００７９】
さらに、平板部材７については上側の外板７１の左右端部７１１が左右部材６の前後脚部Ｌ５、Ｌ６及び前後渡し部Ｌ７のそれぞれの上面に重なるように突出して該上面に貼着されているので、一層強度が向上せしめられている。
【００８０】
また、テーブルＢは、左右一対の部材６及び平板部材７のいずれもが芯材の両側に外板を貼着して形成されており、該芯材や外板の材質（木の種類）、厚み、それらの組み合わせ等の選択範囲が広く、それだけテーブルデザインの幅が広くなる利点がある。
【００８１】
以上説明した椅子ＡやテーブルＢは、所定部位に塗装を施したり、化粧板を貼着したりしてもよい。例えば、椅子Ａでは平板部材２の上面に、テーブルＢでは平板部材７の上面に化粧板を貼着してもよい。平板部材２の上側外板２１の上面に化粧板を貼着する場合、その化粧板の大きさは左右端部が該外板２１の左右に突出した端部２１１に重ね貼着される大きさとしてもよく、また、平板部材７の上側外板７１の上面に化粧板を貼着する場合、その化粧板の大きさは左右端部が該外板７１の左右に突出した端部７１１に重ね貼着される大きさとしてもよい。そのようにすれば、一層平板部材の強度が向上する。
【産業上の利用可能性】
【００８２】
本発明は軽量で材料が節約された椅子、テーブル等の木製の脚付き家具を提供することに利用できる。
【図面の簡単な説明】
【００８３】
【図１】本発明に係る脚付き木製家具の１例である椅子の斜視図である。
【図２】図１の椅子の右側面図である。
【図３】図１の椅子の正面図である。
【図４】図１の椅子の平面図である。
【図５】図１の椅子の左右の部材の出来上がり前の状態を概略的に示す図である。
【図６】背もたれ部材の他の例を示す図である。
【図７】図１の椅子における左右の部材の他の例を示す図である。
【図８】本発明に係る脚付き木製家具の他の例であるテーブルの正面図である。
【図９】図８のテーブルの右側面図である。
【図１０】図８のテーブルの平面図である。
【図１１】図８のテーブルの左右の部材の出来上がり前の状態を概略的に示す図である。
【図１２】椅子の従来例を示す図である。
【図１３】テーブルの従来例を示す図である。
【符号の説明】
【００８４】
Ａ  椅子
１  左右の各部材
Ｌ１  前脚部
Ｌ２  後脚部
Ｌ３  前後渡し部
Ｌ４  立ち上がり部
ａ１〜ａ９  芯材
ａｓ  ステープル
１１  外板
１２  部材１の凹所
１３  立ち上がり部Ｌ４の凹所
２  平板部材
ｂ１〜ｂ６  芯材
２１  外板
２１１  外板２１の端部
ｂ’  隅部材
ｓ１〜ｓ３  空間部
３  背もたれ部材
ｃ１〜ｃ５  芯材
ｃ’  隅部材
３１  外板
ｓ４、ｓ５  空間部
４、５  ネジ
４１、５１  埋め木部材
Ｂ  テーブル
６  左右の各部材
Ｌ５  前脚部
Ｌ６  後脚部
Ｌ７  前後渡し部
６１  芯材
６２、６３  外板
６２１、６２２、６２３  小外板
６３１、６３２、６３３  小外板
６０  部材６の凹所
７  平板部材
ｄ１〜ｄ１１  芯材
７１  外板
７１１  外板端部
ｓ６、ｓ７  空間部
８  ネジ
８１  埋め木部材
【図１】
2008061727.tif 000003
【図２】
2008061727.tif 000004
【図３】
2008061727.tif 000005
【図４】
2008061727.tif 000006
【図５】
2008061727.tif 000007
【図６】
2008061727.tif 000008
【図７】
2008061727.tif 000009
【図８】
2008061727.tif 000010
【図９】
2008061727.tif 000011
【図１０】
2008061727.tif 000012
【図１１】
2008061727.tif 000013
【図１２】
2008061727.tif 000014
【図１３】
2008061727.tif 000015